【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
多層複合フィルムであって、
第１主表面及び第２主表面を有するエチレンテトラフルオロエチレン（ＥＴＦＥ）外層であって、前記第１主表面は前記多層複合フィルムの外部表面として構成されており、前記第２主表面は前記第１主表面の反対側にある、エチレンテトラフルオロエチレン（ＥＴＦＥ）外層と、
前記ＥＴＦＥ外層の前記第２主表面に近接する構造ポリマー層と、
前記ＥＴＦＥ外層の前記第２主表面と前記構造ポリマー層の間に配置された第１フルオロポリマー接着層であって、前記ＥＴＦＥ外層と前記構造ポリマー層とを接着する、第１フルオロポリマー接着層と、
第１主表面及び第２主表面を有する第２ＥＴＦＥ層であって、前記第２ＥＴＦＥ層の前記第１主表面は前記構造ポリマー層に近接し、前記第２ＥＴＦＥ層の前記第２主表面は、前記ＥＴＦＥ外層の前記第１主表面とは反対側の内部表面として構成される、第２ＥＴＦＥ層と、
前記第２ＥＴＦＥ層の前記第１主表面と前記構造ポリマー層の間に配置された第２フルオロポリマー接着層であって、前記第２ＥＴＦＥ層と前記構造ポリマー層とを接着する、第２フルオロポリマー接着層と
を含む多層複合フィルム。
【請求項２】
さらに、ＵＬ９４規格に従って試験したときにＶ０の難燃等級を有する、請求項１に記載の多層複合フィルム。
【請求項３】
前記構造ポリマー層、前記第１フルオロポリマー接着層、前記第２フルオロポリマー接着層、及び前記ＥＴＦＥ外層の少なくとも１つの中又は上に配置された赤外（ＩＲ）線阻止層をさらに含み、前記ＩＲ線阻止層は、入射ＩＲ線の少なくとも４０％を反射するように構成されている、請求項１に記載の多層複合フィルム。
【請求項４】
前記ＩＲ線阻止層が、前記構造ポリマー層及び前記ＥＴＦＥ外層のうち１つの上に配置された金属層を含み、前記金属層が７００ｎｍ〜１０００ｎｍの放射波長について４０％超の反射率を有し、４００ｎｍ〜７００ｎｍの波長を有する可視光について５０％超の透過率を有する、請求項３に記載の多層複合フィルム。
【請求項５】
前記金属層が、銅フィルム、銀フィルム、金フィルム、ニッケルフィルム、金属酸化物フィルム、アルミニウムフィルム、及びこれらの組み合わせのうち１つである、請求項４に記載の多層複合フィルム。
【請求項６】
前記金属層が１ｎｍ〜５００ｎｍの厚みを有する、請求項４に記載の多層複合フィルム。
【請求項７】
前記ＩＲ線阻止層が、前記第１フルオロポリマー接着層及び前記第２フルオロポリマー接着層の少なくとも１つの中に配置された、二酸化チタンナノ粒子、銀粒子、金粒子、及びアルミニウムナノ粒子の少なくとも１つを含む、請求項３に記載の多層複合フィルム。
【請求項８】
少なくとも１０００ＭＰａのヤング率及び少なくとも１４６ＭＰａの最大引張強度を有する、請求項１〜３のいずれか一項に記載の多層複合フィルム。
【請求項９】
少なくとも４０ＭＰａの引張ひずみの下で降伏点を示す、請求項８に記載の多層複合フィルム。
【請求項１０】
前記ＥＴＦＥ外層が２５マイクロメートル〜１２５マイクロメートルの厚みを有する、請求項１〜３のいずれか一項に記載の多層複合フィルム。
【請求項１１】
前記第２ＥＴＦＥ層が２５マイクロメートル〜１２５マイクロメートルの厚みを有する、請求項１〜３のいずれか一項に記載の多層複合フィルム。
【請求項１２】
前記構造ポリマー層がポリエチレンテレフタレート（ＰＥＴ）層である、請求項１〜３のいずれか一項に記載の多層複合フィルム。
【請求項１３】
前記構造ポリマー層が５０マイクロメートル〜２５０マイクロメートルの厚みを有する、請求項１〜３のいずれか一項に記載の多層複合フィルム。
【請求項１４】
前記第１フルオロポリマー接着層及び前記第２フルオロポリマー接着層の少なくとも１つが、フルオロポリマー樹脂、紫外線吸収成分、及び架橋成分を含む、請求項１〜３のいずれか一項に記載の多層複合フィルム。
【請求項１５】
前記フルオロポリマー樹脂が、前記第１フルオロポリマー接着層及び前記第２フルオロポリマー接着層の少なくとも１つの少なくとも４０重量％である、請求項１４に記載の多層複合フィルム。
【請求項１６】
前記フルオロポリマー樹脂が、フルオロポリマー系ポリマーから本質的になる、請求項１５に記載の多層複合フィルム。
【請求項１７】
前記第１フルオロポリマー接着層及び前記第２フルオロポリマー接着層の少なくとも１つが、５マイクロメートル〜３０マイクロメートルの厚みを有する、請求項１〜３のいずれか一項に記載の多層複合フィルム。
【請求項１８】
コード縁部を形成するように構成された周縁部をさらに含み、接着剤及び接着テープの少なくとも１つを用いて前記第２ＥＴＦＥ層の前記第２主表面がそれ自体に接着されている、請求項１〜３のいずれか一項に記載の多層複合フィルム。
【請求項１９】
前記コード縁部によって画定された体積内部に配置された剛直構造をさらに含む、請求項１８に記載の多層複合フィルム。
【請求項２０】
さらに、１６％未満のヘーズ値を有する、請求項１〜３のいずれか一項に記載の多層複合フィルム。
【請求項２１】
さらに、２％〜１４％のヘーズ値を示す、請求項１〜３のいずれか一項に記載の多層複合フィルム。
【請求項２２】
多層複合フィルムであって、
第１主表面及び第２主表面を有するフッ素化ポリマー外層であって、前記第１主表面は前記多層複合フィルムの外部表面として構成され、前記第２主表面は前記第１主表面の反対側にある、フッ素化ポリマー外層と、
前記フッ素化ポリマー外層の前記第２主表面に近接した非フッ素化ポリマー層と、
前記フッ素化ポリマー外層の前記第２主表面と前記非フッ素化ポリマー層の間に配置された第１フルオロポリマー接着層であって、前記フッ素化ポリマー外層と前記非フッ素化ポリマー層とを接着する、第１フルオロポリマー接着層と
を含み、前記多層複合フィルムの一部が一体型チューブを画定し、前記一体型チューブが、前記多層複合フィルムの上にめくられて前記多層複合フィルムに恒久的に接着された、前記多層複合フィルムの周縁部を含む、多層複合フィルム。
【請求項２３】
前記一体型チューブがコード縁部を形成する、請求項２２に記載の多層複合フィルム。
【請求項２４】
前記多層複合フィルムの第２シートに接合された前記多層複合フィルムの第１シートをさらに含む、請求項２２に記載の多層複合フィルム。
【請求項２５】
重ね継ぎ、重ね継ぎとストリップ、及び突き合わせ継ぎの少なくとも１つを用いて、前記第１シートが前記第２シートに接合されている、請求項２４に記載の多層複合フィルム。
【請求項２６】
接着テープ、接着剤、及びヒートシールの少なくとも１つによって、前記第１シートが前記第２シートに接合されている、請求項２４又は２５のいずれかに記載の多層複合フィルム。
【請求項２７】
前記非フッ素化ポリマー層がＰＥＴを含む、請求項２２〜２４のいずれか一項に記載の多層複合フィルム。
【請求項２８】
ＩＲ反射層又はＩＲ吸収剤をさらに含む、請求項２７に記載の多層複合フィルム。
【請求項２９】
前記フッ素化ポリマー外層がＥＴＦＥ層である、請求項２２〜２４のいずれか一項に記載の多層複合フィルム。
【請求項３０】
前記フッ素化ポリマー外層がポリフッ化ビニル層である、請求項２２〜２４のいずれか一項に記載の多層複合フィルム。
【請求項３１】
前記フッ素化ポリマー外層がエチレンクロロトリフルオロエチレン層である、請求項２２〜２４のいずれか一項に記載の多層複合フィルム。
【請求項３２】
前記フッ素化ポリマー外層がポリフッ化ビニリデン層である、請求項２２〜２４のいずれか一項に記載の多層複合フィルム。
【請求項３３】
前記フッ素化ポリマー外層がポリクロロトリフルオロエチレン層である、請求項２２〜２４のいずれか一項に記載の多層複合フィルム。
【請求項３４】
前記フッ素化ポリマー外層がポリフルオロエチレンプロピレン層である、請求項２２〜２４のいずれか一項に記載の多層複合フィルム。
【請求項３５】
請求項１〜３４のいずれか一項に記載の多層複合フィルムを含む建築構造物。